(57)【要約】【課題】多針ミシンの休止時に、針棒及び天秤を簡単な構成で停止させ、コンビネーションミシンの制御システムを簡略化する。【解決手段】多針ミシン１（Ａ），１（Ｂ）において、ヘッド６の一組の針棒９及び天秤１０を色替え装置１３，１５によりロッド１２，１４を介して縫製位置に割り出す。縫製位置の針棒９及び天秤１０を各ヘッド６に共通の主軸１６により動力伝達手段を介して駆動する。ヘッド６の一部に針棒不在部３３及び天秤不在部４４を設ける。多針ミシンの休止時に、不在部３３，４４を色替え装置１３，１５によって縫製位置に割り出し、当該ミシンヘッド６の針棒９及び天秤１０を停止させる。【選択図】        図１
2004242972.tif 000002
【特許請求の範囲】
【請求項１】
ヘッドに複数の針棒及び天秤を設け、一組の針棒及び天秤を割出手段で縫製位置に割り出し、縫製位置の針棒及び天秤を主軸により動力伝達手段を介して駆動する多針ミシンにおいて、ヘッドの一部に針棒及び天秤が存在しない不在部を設け、ミシンの休止時に、不在部を前記割出手段で縫製位置に割り出すことを特徴とする多針ミシン。
【請求項２】
複数台のミシンを備え、各ミシンのヘッドが単一の主軸を共用するコンビネーションミシンにおいて、少なくとも一台のミシンに請求項１の多針ミシンを用い、別のミシンに前記多針ミシンとは針棒の本数が異なるヘッドを設けたことを特徴とするコンビネーションミシン。
【発明の詳細な説明】
【０００１】
【発明の属する技術分野】
本発明は、ヘッドに複数の針棒及び天秤を設けた多針ミシン、及び、該多針ミシンに別のミシンを組み合わせて編成したコンビネーションミシンに関するものである。
【０００２】
【従来の技術】
従来、色替え機能を持つ複数台の多針ミシンを装備したコンビネーションミシンが知られている。また、多針の本縫いミシンに１本針の環縫いミシンを組み合わせ、刺繍柄に装飾用のチェーンステッチを縫い付けるコンビネーションミシンも知られている。この種のミシンは、通常、複数台のヘッドが単一の主軸を共用するため、多針ミシンのヘッドには、休止時に主軸からの動力伝達を遮断して、針棒及び天秤を停止させる機構が設けられ、針による穴明きや天秤による上糸切れを未然に防止できるようになっている。
【０００３】
特許文献１には、複数のヘッドと主軸との間にクラッチを介装し、休止ヘッドのクラッチを切ることで、針棒及び天秤を停止させる技術が記載されている（段落番号００２６参照）。特許文献２には、ヘッド毎に針棒停止用のソレノイドと天秤停止用のソレノイドとを設け、休止ヘッドで両方のソレノイドを励磁し、針棒駆動部材を針棒から退避させるとともに、天秤駆動レバーを主軸上のカムから切り離す技術が記載されている（第２頁右下欄、第４頁左上欄参照）。
【０００４】
【特許文献１】
特開平９−７６４号公報
【特許文献２】
特開平２−２３９８８号公報
【０００５】
【発明が解決しようとする課題】
ところが、従来の多針ミシンによると、主軸から針棒及び天秤への動力伝達をクラッチ又はソレノイドを用いて遮断するので、ヘッドの部品点数が増え、構成が複雑化する問題点があった。特に、この多針ミシンでコンビネーションミシンを編成した場合は、クラッチ又はソレノイドの数が増えるため、電気回路及び制御プログラムを含むミシン全体の制御システムが複雑化する問題点があった。
【０００６】
そこで、本発明の目的は、ミシンの休止時に、針棒及び天秤を簡単な構成で停止させることができる多針ミシン、及び、ミシン全体の制御システムを簡略化できるコンビネーションミシンを提供することにある。
【０００７】
【課題を解決するための手段】
上記の課題を解決するために、本発明は、ヘッドに複数の針棒及び天秤を設け、一組の針棒及び天秤を割出手段で縫製位置に割り出し、縫製位置の針棒及び天秤を主軸により動力伝達手段を介して駆動する多針ミシンにおいて、ヘッドの一部に針棒及び天秤が存在しない不在部を設け、ミシンの休止時に、不在部を割出手段で縫製位置に割り出すことを特徴とする。
【０００８】
ここで、前記ヘッドには、例えば、複数本の針棒及び天秤が同一平面内に並設される平面形ヘッド、或いは、針棒及び天秤が円筒面内に並設される円筒形ヘッドを採用できる。前記割出手段には、例えば、平面形ヘッドを針棒の配列方向へ直線移動して、一組の針棒及び天秤を縫製位置に割り出す機構を採用できる。円筒形ヘッドを針棒と平行な軸線の周りで回動する機構も採用可能である。動力伝達手段としては、針棒及び天秤に共通するカムを主軸上に設けて実施するのが好ましい。カムから針棒への動力伝達にはクランク機構を採用でき、カムから天秤への動力伝達にはレバーを採用できる。
【０００９】
前記不在部は、針棒及び天秤の欠員部であり、ヘッドの一部に空隙部として現われる。より具体的には、ｎ本の針棒を備えた多針ミシンにおいて、ヘッドに（ｎ＋１）本分の針棒を支持する支持部を設け、そのうち一つの支持部に針棒を支持しないことで、ヘッドの一部に針棒不在部を設けることができる。同様に、ヘッドに（ｎ＋１）本分の天秤を支持する天秤軸を設け、そのうち一箇所に天秤を支持しないことで、ヘッドの一部に天秤不在部を設けることができる。これらの不在部を針棒割出方向の中間位置に設けることも可能であるが、ミシン稼働時の割出時間を短縮できる点で、不在部を針棒割出方向の末端位置に設けるのが好ましい。
【００１０】
本発明のコンビネーションミシンは、複数台のミシンを備え、各ミシンのヘッドが単一の主軸を共用する所謂コンビ機において、少なくとも一台のミシンに上記構成の多針ミシンを用い、別のミシンに多針ミシンとは針棒の本数が異なるヘッドを設けたことを特徴とする。
【００１１】
このコンビネーションミシンによれば、用途や加工内容に応じてミシンの編成を多様化できる利点がある。例えば、刺繍加工に使用する場合に、８本針の本縫いミシンと１４本針の本縫いミシンとを組み合わせ、交互に稼働させることで、ヘッドを大型化することなく、最大２２色の刺繍柄を縫製できる。また、多針本縫いミシンに１本針本縫いミシンを組み合わせることで、多色刺繍柄に装飾用のテープや紐を縫い付けて、付加価値の高い縫製品を加工することもできる。或いは、多針本縫いミシンに１本針環縫いミシンを組み合わせることで、多色刺繍柄にチェーンステッチを形成して、デザインに富んだ縫製品を加工することも可能である。何れの場合も、多針ミシンの休止時に、針棒及び天秤の不在部を縫製位置に割り出すことにより、クラッチやソレノイドを必要としない簡単な構成で、針棒及び天秤を停止させることができる。
【００１２】
【発明の実施の形態】
以下、本発明を刺繍加工用のコンビネーションミシンに具体化した一実施形態を図１〜図７に基づいて説明する。図１に示すように、このコンビネーションミシンは８本針の本縫いミシン１を複数台備えている。各ミシン１は同じ機種の多針ミシンであるが、機能的に二つのグループに区別されている。Ａグループのミシン１（Ａ）は８色の上糸（図示略）を使用し、Ｂグループのミシン１（Ｂ）は別の８色の上糸を使用する。そして、ミシン１（Ａ），１（Ｂ）を交互に稼働させることで、加工布に最大１６色の刺繍柄を縫製できるようになっている。なお、Ａグループのミシン１（Ａ）が８色の細糸を使用し、Ｂグループのミシン１（Ｂ）が同じ８色の太糸を使用することで、太糸と細糸とが混在する８色の刺繍柄を縫製することもできる。
【００１３】
ミシン１（Ａ）及びミシン１（Ｂ）のベッド２は、テーブル３と同じ高さに等間隔で並設され、ベッド２に針板４と釜５とが設けられている。ミシン１（Ａ）のヘッド６とミシン１（Ｂ）のヘッド６は、機枠７に交互に配列され、共通のレール８に沿って左右方向へ移動可能に支持されている。各ヘッド６には８本の針棒９と同数の天秤１０とが設けられ、針棒９の下端に針１１が取着されている。ミシン１（Ａ）のヘッド６はＡグループの別のヘッド６にロッド１２で連結され、モータを備えた色替え装置１３によって一体に移動される。ミシン１（Ｂ）のヘッド６はＢグループの別のヘッド６にロッド１４で連結され、モータを備えた色替え装置１５によって一体に移動される。機枠７には各ヘッド６に共通する主軸１６が支持され、主軸駆動モータ１７によって回転される。
【００１４】
各ヘッド６で使用される上糸は糸巻き（図示略）から天秤１０及び糸調子１８を介して針１１に供給される。ロッド１２と色替え装置１３は、Ａグループミシン１（Ａ）の割出手段を構成し、一組の針棒９及び天秤１０を縫製位置つまり針板４の針孔４ａ（図４参照）に選択的に割り出し、８本の上糸の色替えを行う。これと同様、ロッド１４と色替え装置１５は、Ｂグループミシン１（Ｂ）の割出手段を構成し、別の８本の上糸の色替えを行う。そして、各ヘッド６が主軸１６を共用し、主軸１６が後記動力伝達手段を介して縫製位置の針棒９及び天秤１０を駆動し、針１１が釜５と協働して刺繍枠（図示略）に保持された加工布に最大１６色の刺繍柄を縫製するようになっている。
【００１５】
図２〜図４に示すように、機枠７にはヘッド６と同数のアーム２１が固定されている。アーム２１の前面には上下一対のブラケット２２，２３が突設され、上側のブラケット２２にレール８が固定され、下側のブラケット２３にローラ２４と案内片２５とが設けられている。ヘッド６は正面視四角環状に形成され、内部は隔壁部６ａで上下に二分されている。隔壁部６ａには、レール８上を摺動するスライダ２６が取り付けられ、ヘッド６の底壁部６ｂには、ローラ２４と案内片２５との間で案内される突起２７が形成され、ヘッド６が上下２箇所でアーム２１に移動可能に支持されている。なお、前記ロッド１２，１４はヘッド６を貫通し、一方はボルト２８で側壁部６ｃに固定され、他方は側壁部６ｃの孔２９に遊挿されている。
【００１６】
隔壁部６ａより下側のヘッド６には針棒室３１形成され、底壁部６ｂに針棒９を昇降可能に支持する支持筒３２が設けられている。この実施形態では、針棒室３１が９本分の針棒９を収容可能な大きさで形成され、支持筒３２が等ピッチで９個設けられている。しかし、針棒９は８個の支持筒３２に挿通され、残り一つの支持筒３２（図２の右端）には針棒９が挿通されておらず、針棒室３１の片端に針棒９の存在しない針棒不在部３３が設けられている。そして、当該ヘッド６を備えたミシンの休止時には、図６に示すように、針棒不在部３３が色替え装置１３，１５によりロッド１２，１４を介して縫製位置（針孔４ａの真上位置）に割り出されるようになっている。
【００１７】
針棒９の上端にはキャップ３４が固着され、針棒９の前側に布押え棒３５が添設されている。布押え棒３５の下端には布押え足３６が取着され、布押え足３６と針棒抱き３７とにより、針棒９及び布押え棒３５が上下方向の相対移動可能に組み付けられ、スプリング３８，３９で上方へ付勢されている。ヘッド６の底壁部６ｂには、布押え棒３５を針棒周りで位置決めする９個の切欠４０が形成されているが、針棒不在部３３に位置する切欠４０は空席となっている。なお、針棒不在部３３に位置する支持筒３２及び切欠４０は、共に充実状に設計することも可能であるが、このヘッド６を９本針ミシンのヘッドに転用できるように、他の支持筒３２及び切欠４０と同じ形状で設計するのが好ましい。
【００１８】
隔壁部６ａより上側のヘッド６には、天秤室４２が形成されるとともに、天秤１０を揺動可能に支持する天秤軸４３が架設されている。天秤室４２は針棒室３１と同じ幅で形成され、天秤軸４３は９本分の天秤１０を支持可能な長さで形成されている。しかし、天秤軸４３上には８本の天秤１０が針棒９と同じピッチで支持され、残り一箇所（図２、図３の右端）には天秤１０が支持されておらず、天秤室４２の片端に天秤１０の存在しない天秤不在部４４が設けられている。そして、当該ヘッド６を備えたミシンの休止時には、図５，図６に示すように、天秤不在部４４が色替え装置１３，１５によりロッド１２，１４を介して縫製位置に割り出される。
【００１９】
各天秤１０の基部にはスリット１０ａが形成され、アーム２１の前面にスリット１０ａに嵌入する左右２枚の天秤掛止板４５が突設されている。天秤掛止板４５は、縫製位置を開いた状態でアングル４６により水平に保持され、開放部にて縫製位置の天秤１０の揺動を許容し、それ以外の天秤１０を上死点位置に保持するように構成されている。従って、天秤不在部４４が縫製位置に割り出されたときには、全ての天秤１０が掛止板４５により上死点位置に停止保持される。なお、針棒不在部３３が縫製位置に割り出されたときには、全ての針棒９が前記スプリング３８，３９の付勢力によって上死点位置に停止保持される。
【００２０】
一方、主軸１６は全アーム２１を貫通し、アーム２１の内側にカム４８を備えている。カム４８には偏心部４９とカム溝５０とが設けられ、偏心部４９はクランク機構５１及び針棒叩き５２を介し針棒９に連結され、カム溝５０はレバー５３を介し天秤１０に連結されている。針棒叩き５２は針棒キャップ３４に嵌合する叩打部５２ａを備え、縦軸５４によりアーム２１に昇降自在に支持されている。レバー５３はカム溝５０に係合するカムフォロア５５と、天秤１０の切欠１０ｂに嵌合するローラ５６とを備え、横軸５７でアーム２１に揺動可能に支持されている。そして、カム４８、クランク機構５１、針棒叩き５２及びレバー５３により、主軸１６の動力を縫製位置の針棒９及び天秤１０に伝える動力伝達手段が構成されている。
【００２１】
このコンビネーションミシンによれば、図１に示すように、ミシン１（Ａ），１（Ｂ）を同時に稼働させることで、ミシンと同数の加工布に８色までの刺繍柄を縫製することができる。また、図７（ａ），（ｂ）に示すように、ミシン１（Ａ），１（Ｂ）を交互に稼働させることで、小型の８本針ヘッド６を用いて加工布に最大１６色の刺繍柄を縫製することができる。この場合、休止ヘッドでは、色替え装置１３，１５が針棒不在部３３及び天秤不在部４４を縫製位置に割り出すため、クラッチやソレノイドを必要としない簡単な構成で、針棒９及び天秤１０を停止させることができる。従って、ミシン全体の制御システムを簡略化して、機能性に富んだコンビネーションミシンを安価に編成することができる。
【００２２】
次に、本発明の別の実施形態について説明する。図８に示すコンビネーションミシンは、複数台の８本針本縫いミシン１と、複数台の１４本針本縫いミシン６１とを機枠７に交互に並べて編成されている。８本針本縫いミシン１は前記実施形態の多針ミシン１と同様に構成されている。１４本針本縫いミシン６１は、針棒９及び天秤１０の数、ヘッド６６の大きさを除き、８本針ミシン１と同様に構成されている。
【００２３】
ミシン１のヘッド６及びミシン６１のヘッド６６は、単一の主軸１６を共用し、共通のレール８に割出移動可能に支持されている。ヘッド６６には、１４本の針棒９と、同数の天秤１０と、一つの針棒不在部３３と、一つの天秤不在部４４とが設けられている。そして、ミシン６１の稼働時には、一組の針棒９及び天秤１０が色替え装置（図示略）によりロッド１４を介して縫製位置に割り出され、ミシン６１の休止時には、針棒不在部３３及び天秤不在部４４が同じ割出手段によって縫製位置に割り出される。
【００２４】
このコンビネーションミシンは、針棒９の本数が異なる２種類の多針ミシン１，６１を組み合わせて編成されているので、多様な稼働形態を採用できる。例えば、８色以下の刺繍柄を縫製する場合に、ミシン１及びミシン６１を同時に稼働させ、９〜１４色の刺繍柄を縫製する場合は、ミシン６１を単独で稼働させ、１５〜２２色の刺繍柄を縫製する場合は、ミシン１とミシン６１とを交互に稼働させる。交互に稼働させる場合、或いは単独で稼働させる場合には、休止ヘッドで色替え装置が針棒不在部３３及び天秤不在部４４を縫製位置に割り出すため、前記実施形態と同様、簡単な構成で針棒９及び天秤１０を停止させることができて、コンビネーションミシンの制御システムを簡略化できる効果がある。
【００２５】
図９に示すコンビネーションミシンは、複数台の１４本針本縫いミシン６１と、複数台の１本針環縫いミシン７１とを機枠７に交互に並べて編成されている。１本針環縫いミシン７１において、１１’はかぎ針、２’はルーパを備えたベッドである。１４本針ミシン６１のヘッド６６及び１本針ミシン７１のヘッド７６は、単一の主軸１６を共用し、共通のレール８に割出移動可能に支持されている。そして、ミシン６１とミシン７１とを交互に稼働させ、本縫いミシン６１で縫製した最大１４色の刺繍柄の上に、環縫いミシン７１で装飾用のチェーンステッチを形成できるように構成されている。本縫いミシン６１の休止時には、色替え装置（図示略）がヘッド６６の針棒不在部３３及び天秤不在部４４を縫製位置に割り出すため、前記実施形態と同様、簡単な構成で針棒９及び天秤１０を停止させることができる。
【００２６】
なお、本発明は前記実施形態に限定されるものではなく、例えば、針棒の本数やミシンの台数及び種類を変更するなど、本発明の趣旨から逸脱しない範囲で各部の構成を適宜変更して具体化することも可能である。
【００２７】
【発明の効果】
以上詳述した通り、本発明に係る多針ミシンによれば、ヘッドの一部に針棒及び天秤の不在部を設けたので、ミシンの休止時に、針棒及び天秤を簡単な構成で停止させることができるという優れた効果を奏する。
【００２８】
本発明に係るコンビネーションミシンによれば、針棒及び天秤の不在部を備えた多針ミシンに、針棒の本数が異なるヘッドを備えた別のミシンを組み合わせたので、多様な稼働形態を採用できるとともに、ミシン全体の制御システムを簡略化できる効果がある。
【図面の簡単な説明】
【図１】本発明に係るコンビネーションミシンの一実施形態を示す正面図である。
【図２】同コンビネーションミシンに装備された多針ミシンのヘッドを示す正面図である。
【図３】図２のヘッドの平断面図である。
【図４】図３のＩＶ−ＩＶ線断面図である。
【図５】図３のヘッドの別の作動状態を示す平断面図である。
【図６】図５のＶＩ−ＶＩ線断面図である。
【図７】図１のコンビネーションミシンの別の稼働形態を示す正面図である。
【図８】本発明に係るコンビネーションミシンの別の実施形態を示す正面図である。
【図９】本発明に係るコンビネーションミシンの更に別の実施形態を示す正面図である。
【符号の説明】
１    ８本針ミシン
２    ベッド
３    テーブル
４    針板
５    釜
６    ヘッド
７    機枠
８    レール
９    針棒
１０    天秤
１１    針
１２    ロッド
１３    色替え装置
１４    ロッド
１５    色替え装置
１６    主軸
３１    針棒室
３２    支持筒
３３    針棒不在部
４２    天秤室
４３    天秤軸
４４    天秤不在部
４８    カム
５１    クランク機構
５２    針棒叩き
５３    レバー
６１    １４本針ミシン
６６    ヘッド
７１    １本針ミシン
７６    ヘッド
【図１】
2004242972.tif 000003
【図２】
2004242972.tif 000004
【図３】
2004242972.tif 000005
【図４】
2004242972.tif 000006
【図５】
2004242972.tif 000007
【図６】
2004242972.tif 000008
【図７】
2004242972.tif 000009
【図８】
2004242972.tif 000010
【図９】
2004242972.tif 000011